(57)【要約】      （修正有）【課題】比較的簡単な製造工程で製造でき、かつ、カード保持部を傾斜保持するための支持部を製造直後の状態から必ずしも９０度超に曲げる必要がなく、カード類を安定保持できるカード類立てを提供する。【解決手段】樹脂シートにより形成され、折り曲げ線部３を介して結合した表面板１と裏面板２を具備し、裏面板は、裏面板本体２１と、折り曲げ線部と略平行なスジ押し部４と、スジ押し部を介して裏面板本体と結合する支持部２２とを有する。支持部は、折り曲げ線部方向に伸びる切り込み部と、折り曲げ線部側切り込み部と、スジ押し部とを裏面板に形成することにより形成される。表面板と裏面板とは、折り畳み状に折り曲げられ、支持部は、裏面板本体に対しスジ押し部を折り曲げ線として折り曲げ角度が調整可能である。【選択図】図２
0003200250.tif 000002
【実用新案登録請求の範囲】
【請求項１】
樹脂シートにより形成され、折り曲げ線部を介して結合した表面板と裏面板を具備し、該裏面板は、裏面板本体と、前記折り曲げ線部と略平行なスジ押し部と、該スジ押し部を介して前記裏面板本体と結合する支持部とを有し、該支持部は、前記スジ押し部の両端又はその近傍から折り曲げ線部方向に伸びる切り込み部と、それらの切り込み部先端又はその近傍から伸び、前記折り曲げ線部と略平行な又は前記折り曲げ線部に沿った折り曲げ線部側切り込み部と、前記スジ押し部とを前記裏面板に形成することにより形成され、前記表面板と裏面板とは、表面板と裏面板本体との間にカード類を保持し得るように折り畳み状に折り曲げられ、前記支持部は、前記裏面板本体に対し前記スジ押し部を折り曲げ線として折り曲げ角度が調整可能であることを特徴とするカード類立て。
【請求項２】
前記折り曲げ線部側切り込み部は、前記折り曲げ線部に沿ったものであり、カード類を４５度以上９０度未満の傾斜角度に保持するのに適した請求項１に記載のカード類立て。
【請求項３】
前記折り曲げ線部側切り込み部は、前記折り曲げ線部と略平行なものであり、カード類を０度超４５度未満の傾斜角度に保持するのに適した請求項１に記載のカード類立て。
【考案の詳細な説明】
【技術分野】
【０００１】
本考案は、プライスカード、ポストカード、写真等の各種カード類を立てた状態で展示可能に支持するカード類立てに関する。より具体的には、樹脂シートから比較的簡単な製造工程で製造でき、保管や輸送に必要なスペースが小さく、しかも、簡単な操作で使用開始可能なカード類立てに関する。
【背景技術】
【０００２】
カード立てや写真立てなどのカード類立てに関しては、木製、紙製、金属製、樹脂製等、従来から数多くのものが知られているが、そのうち、硬質樹脂シートから形成されたカード立ては、軽量で製造コストも低いため、各種分野で幅広く利用されてきている。
【０００３】
例えば、実用新案登録第３０６６０４７号公報（下記特許文献１）には、写真等の取付手段を具えて傾斜姿勢で起立する縦長の写真等保持板と、該保持板の下端部から後方へ水平に突出し該保持板を起立状態に支持する脚板とを具え、脚板の側縁部と脚板前辺部兼写真等保持板の下辺部とのなす角度を、写真等保持板と脚板とのなす角度に等しく設定した写真立てが記載されている。この写真立てによれば、縦向き姿勢でも横向き姿勢でも同じ角度で写真を起立させることができるという優れた点を有するものの、写真の起立角度を調整することができないし、また、製造直後から使用開始後まで写真等保持板と脚板とは所定角度に保持されたままであるので、保管や輸送の際のスペースが大きいという問題点が存在する。
【０００４】
特開２００７-２０６３７４号公報（下記特許文献２）には、樹脂シートの中心線に対し対称でかつ該中心線に平行な２つの折り目と、該２つの折り目の外方にあって、中心線に対し対称でかつ該中心線に対し傾斜し、樹脂シートの角の２辺と３角形を形成する別の２つの折り目と、樹脂シートの前記３角形の部分の両端部に形成され、相互に係合可能に形成された２つの係合部を具えた自立式表示板（カード類立て）が記載されている。この自立式表示板は、４本の折り曲げ線と２つの係合部を形成するという比較的簡単な工程で製造でき、かつ、製造直後から使用開始までシート状であるので、保管や輸送の際のスペースが小さいという利点を有している。しかしながら、利用開始に当たって、４本の折り目に沿った折り曲げと、２つの係合部の契合とが必要であり、利用開始のための作業が単純ではないし、また、カード類の傾斜角度が変更できないという問題点も有している。
【０００５】
実用新案登録第３０３０４０８号公報（下記特許文献３）には、図４に示すとおり、カード類を保持可能に非晶性ポリエステル系シートを折り曲げて形成したホルダー部と、同ホルダー部の起立状態を支えるために同じくホルダー部に対し折り曲げることにより形成して、且つその折り曲げ角度を変更可能とした支持板部とからなるカード類の展示用具（カード類立て）が記載され、また、その実施例の１つとして、透明シートを２つ折りして表面板と裏面板からなるホルダー部を形成するとともに、その裏面板の上から下方に向かって形成した２本の平行な切り込みによって挟まれた箇所を下方へ折り曲げることにより支持板部を設けたものが示されている。
【先行技術文献】
【特許文献】
【０００６】
【特許文献１】実用新案登録第３０６６０４７号公報
【特許文献２】特開２００７-２０６３７４号公報
【特許文献３】実用新案登録第３０３０４０８号公報
【考案の概要】
【考案が解決しようとする課題】
【０００７】
上記特許文献３に記載のカード類の展示用具（カード類立て）は、
（１）折り曲げ工程と２本の切り込み形成工程との少ない工程で製造できる、
（２）製造直後から使用開始直前まで２つ折りに折り曲げられた状態であるため、保管や輸送のスペースが小さい、
（３）ホルダー部に対する支持板部の折り曲げ角度を人手により容易に変化させることができる、
などの点で優れているものの、次の（ア）〜（ウ）のような問題点が存在することを本考案者は認識した。すなわち、
（ア）上記従来のカード類立てでは、ホルダー部を通常の傾斜状態に保持するには、支持板部を１２０度やそれ以上の角度（例えば、１５０℃程度）で折り曲げる必要があるため、折り曲げ線部は大きく変形し、強度的に弱くなり、支持板部を所定角度で保持するための性能が低くなる。そのため、支持板部の曲げ角度を何度も調整したり、カード類として比較的重量の重いものを保持しようとする場合には、ホルダー部を所望の角度に保持できなくなる可能性が生じる。しかも、ホルダー部を通常の傾斜状態に保持する際には、支持板部に折り曲げ方向とは逆の曲げ戻す方向の力が加わるため、ホルダー部を傾斜状態に保持するための支持板部の支持力が弱く、ホルダー部の支持が不安定化しやすい。
（イ）上記従来のカード類立てにおいて、ホルダー部を４５度以上などの通常の傾斜状態に保持するには、裏面板の上から下方に向かう２本の平行な切り込みを裏面板の縦長の半分以上の長さまで形成する必要があるが、そのように支持板部が長い場合には、上述のような支持板部を曲げ戻す力（曲げモーメント）も大きくなり、ホルダー部の支持がより不安定化しやすくなる。
（ウ）上記従来のカード類立てでは、支持板部となる裏面板の中央の上半部分などが比較的大きく空いているため、カード類の上部を裏面から押さえる力が弱く、カード類が薄い場合には、カード類の上半部分を平坦な状態で支持することが困難となる場合がある。
【０００８】
本考案は、上記特許文献３の従来技術が持つ優れた点を有するとともに、その従来技術に関して認識された前記問題点を解決し得るカード類立てを得るべくなされたものであり、比較的簡単な製造工程で製造でき、しかも、保管や輸送の際のスペースを小さくすることができ、さらに、カード類保持部を傾斜保持するための支持部を製造直後の状態から必ずしも９０度超に曲げる必要がなく、カード類を安定保持できるカード類立てを提供することを課題とする。
【課題を解決するための手段】
【０００９】
上記課題を達成するために、本考案は、以下の手段を講じた
＜１＞樹脂シートにより形成され、折り曲げ線部を介して結合した表面板と裏面板を具備し、該裏面板は、裏面板本体と、前記折り曲げ線部と略平行なスジ押し部と、該スジ押し部を介して前記裏面板本体と結合する支持部とを有し、該支持部は、前記スジ押し部の両端又はその近傍から折り曲げ線部方向に伸びる切り込み部と、それらの切り込み部先端又はその近傍から伸び、前記折り曲げ線部と略平行な又は前記折り曲げ線部に沿った折り曲げ線部側切り込み部と、前記スジ押し部とを前記裏面板に形成することにより形成され、前記表面板と裏面板とは、表面板と裏面板本体との間にカード類を保持し得るように折り畳み状に折り曲げられ、前記支持部は、前記裏面板本体に対し前記スジ押し部を折り曲げ線として折り曲げ角度が調整可能であることを特徴とするカード類立て。
＜２＞前記折り曲げ線部側切り込み部は、前記折り曲げ線部に沿ったものであり、カード類を４５度以上９０度未満の傾斜角度に保持するのに適した上記＜１＞に記載のカード類立て。
＜３＞前記折り曲げ線部側切り込み部は、前記折り曲げ線部と略平行なものであり、カード類を０度超４５度未満の傾斜角度に保持するのに適した上記＜１＞に記載のカード類立て。
【００１０】
本考案のカード類立ては、次のような態様によっても特徴づけることができる。
＜４＞前記樹脂シートは、非晶質ポリエステル樹脂、ポリ塩化ビニル樹脂、又は、ポリプロピレン樹脂からなるものであることを特徴とする上記＜１＞〜＜３＞のいずれか１項に記載のカード類立て。
＜５＞表面板と裏面板は、横長長方形状、縦長長方形状、正方形状、台形状、逆台形状、又は、カマボコ断面状であることを特徴とする上記＜１＞〜＜４＞のいずれか１項に記載のカード類立て。
＜６＞前記表面板と裏面板は縦横が同じ長さであるか、又は、表面板の縦横の少なくとも一方の長さが裏面板より長いことを特徴とする上記＜５＞に記載のカード類立て
＜７＞裏面板の上縁（折り曲げ線部から最も離れた端縁）には、半円状、半長円状、逆三角状、又は、逆台形状等の切除部を有することを特徴とする上記＜１＞〜＜６＞のいずれか１項に記載のカード類立て。
＜８＞前記支持部は、略長方形状、略台形状、又は、略逆台形状であることを特徴とする上記＜１＞〜＜７＞のいずれか１項に記載のカード類立て。
＜９＞前記支持部は、下縁中央部に切除部を有することを特徴とする上記＜１＞〜＜８＞のいずれか１項に記載のカード類立て。
＜１０＞前記表面板と裏面板の上縁両端、及び／又は、前記支持部下縁両端は、面取りされていることを特徴とする上記＜１＞〜＜９＞のいずれか１項に記載のカード類立て。
【考案の効果】
【００１１】
本考案は上記＜１＞〜＜３＞（そして、＜４＞〜＜１０＞）のとおりに構成されているので、次の（Ａ）〜（Ｉ）に記載するような顕著な効果を奏することができる。
（Ａ）本考案のカード類立ては、製造直後から使用開始直前まで樹脂シートが２つ折りに折り曲げられた折り畳みシート状であるので、保管や輸送の際の作業が容易であるし、また、保管や輸送に必要なスペースが小さく、保管や輸送のコストを低く抑えることができる。
（Ｂ）本考案のカード類立ては、スジ押し部で裏面板本体から仕切られた支持部を曲げるという単一の簡単な操作だけでカード類立てとして利用開始することができる。
（Ｃ）裏面板本体（乃至カード類保持部）に対する支持部の曲げ角度を９０度迄の角度で曲げることにより、カード類立てが載置される面に対するカード類の傾斜角度を０度超、９０度未満の範囲内の種々の値に調整することができる。また、一度曲げた支持部の曲げ角度は、９０度以下の範囲内で、大きくする方向及び小さくする方向の何れの方向にも再調整することも可能である。そのため、展示場所に応じた傾斜角度にカード類を調整・支持することができる。
（Ｄ）裏面板本体に対する支持部の曲げ角度は、９０度を超える必要がないので、スジ押し部は、折り曲げ時の変形が小さく、従来例のように強度が大きく低下することがない。そのため、９０度を超えて支持部を曲げることが必要な従来例よりもカード類の傾斜角度の再調整をより数多く行うことが可能である。
（Ｅ）カード類保持部を傾斜状態に保持する際に支持部にかかる力（曲げモーメント）は、裏面板本体に対し支持部を折り曲げ方向にさらに曲げる方向であるので、曲げ戻す方向よりも大きな力で支えることができ、カード類保持部を傾斜状態に保持する際の支持部による支持が上述の従来技術よりも格段に安定している。また、上述の従来技術では、支持板部が長いと裏面板とのなす角が９０度近くの大きな角度となり、曲げ戻す力（曲げモーメント）も大きくなり、より不安定化するのに対し、本考案のカード類立てでは、支持部の長さを長くても裏面板とのなす角を４５度以下の小さな角度に設定することも可能であるので、従来技術のような不安定化は防止できる。
（Ｆ）カード類は、カード類保持部において表面板と裏面板本体の間にサンドイッチ状に保持されるとともに、カード類の下端も折り曲げ線部で支持されるので、カード類を安定して保持することができる。
（Ｇ）表面板や裏面板の大きさ（縦横の長さ）をカード類と同じ大きさか、それ以上とすると、カード類の裏面の一部を除いたほぼ全面が透明な表面板と裏面板に被われることになるので、コピー用紙のような腰のない撓みやすいカード類も平坦なカード形状を維持したまま保持することができる。また、透明な表面板と裏面板の間にサンドイッチ状に保持されているので、外部環境によるほこりやその他の汚れ、損傷などからカード類を効果的に保護することができる。特に、裏面板には、上記従来技術が有する中央上半部の大きな空き部がないので、カード類上部を裏面から十分に押えることが可能である。そのため、カード類が薄い場合にもカード類の上半部分を平坦な状態で支持することができる。
（Ｈ）本考案のカード類立ては、裏面板本体と支持部との間に切り込み部とスジ押し部とを形成する工程、及び、表面板と裏面板とを折り畳むように曲げ加工する工程の少ない製造工程で製造できるため、製造コストが比較的低く、それ故、製品価格も低く抑えることが可能である。
（Ｉ）前記折り曲げ線部側切り込み部を前記折り曲げ線部となる部分に形成した場合には、製造工程において、曲げ加工される部分の長さが短くなるので、折り畳むようになされる曲げ加工が容易となる。また、曲げ加工に伴う表面板の変形や歪みが小さくなり、展示の際のカード類の見栄えが向上する。その場合、裏面板本体に対する支持部の曲げ角度を９０度超に曲げることなく、カード類保持部の傾斜角度を４５度以上９０度未満の範囲内で調整できる。裏面板本体に対する支持部の曲げ角度を９０度超に曲げると、カード類保持部の傾斜角度を０度超４５度未満の範囲で調整することも可能となるが、そのとき、支持部にかかる力は、裏面板本体に対し支持部の曲げ角度を大きくする方向であり、曲げ戻し方向よりも大きな力で支えることができるので、上記従来技術のように支持部によるカード類保持部の支持が不安定化する恐れが少ない。
一方、前記折り曲げ線部側切り込み部を前記折り曲げ線部と離して該折り曲げ線部に略平行に形成した場合には、裏面板本体に対する支持部の曲げ角度を９０度超に曲げることなく、カード類保持部の傾斜角度を０度超〜４５度未満にすることも可能となる。また、その場合、カード類は、裏面中央部を除く裏面板の全周部で押さえられるので、腰が無く撓みやすい薄いカード類の場合でも平坦な状態で支持することがより容易となる。
【図面の簡単な説明】
【００１２】
【図１】本考案の実施例の製造直後乃至使用開始前のカード類立てを示す見取り図。
【図２】本考案の実施例の使用中のカード類立てを示す見取り図。
【図３】本考案の別実施例の製造直後乃至使用開始前のカード類立てを裏面板側から見た図面。
【図４】従来例のカード類の展示用具（カード類立て）を示す見取り図。
【考案を実施するための形態】
【００１３】
以下、本考案を実施するための形態を詳細に説明する。
本考案のカード類立ては、樹脂シートにより形成され、折り曲げ線部を介して結合した表面板と裏面板を具備し、該裏面板は、裏面板本体と、前記折り曲げ線部と略平行なスジ押し部と、該スジ押し部を介して前記裏面板本体と結合する支持部とを有し、該支持部は、前記スジ押し部の両端又はその近傍から折り曲げ線部方向に伸びる切り込み部と、それらの切り込み部先端又はその近傍から伸び、前記折り曲げ線部と略平行な又は前記折り曲げ線部に沿った折り曲げ線部側切り込み部と、前記スジ押し部とを前記裏面板に形成することにより形成され、前記表面板と裏面板とは、表面板と裏面板本体との間にカード類を保持し得るように折り畳み状に折り曲げられ、前記支持部は、前記裏面板本体に対し前記スジ押し部を折り曲げ線として折り曲げ角度が調整可能であることを特徴とするものである。
【００１４】
＜樹脂シート＞
本考案のカード類立ての製造に使用する樹脂シートは、硬質のものが望ましいが、形状が保持できる自立性を有するものであれば硬質のものに限定されない。
樹脂シートは、表面板と裏面板との間にカード類を保持した際に、カード累表面の文字や模様等が表面板を介して視認できるように透明であることが望ましいが、表面板より大きくかつ自立性のあるカードを保持する場合には、必ずしも透明である必要はない。
樹脂シートの樹脂としては、限定するものではないが、例えば、非晶質ポリエチレンテレフタレート（Ａ−ＰＥＴ）等の非晶質ポリエステル系樹脂、硬質塩化ビニル系樹脂、ポリプロピレン系樹脂などが挙げられる。透明性、折り曲げ部の強度、折り曲げ角度の調節容易性などの点からみて非晶質ポリエチレンテレフタレート等の非晶質ポリエステル系樹脂が好ましい。
樹脂シートの厚さは、樹脂の種類や充填剤、強化材等の配合組成にも依存するので限定するものではないが、通常は０．２〜１．２ｍｍ、好ましくは０．３〜１．０ｍｍ、より好ましくは０．４〜０．９ｍｍ、さらに好ましくは０．５〜０．８ｍｍである。
【００１５】
＜樹脂シートからカード類立ての製造工程＞
１つのカード類立てを製造するのに必要なシートの面形状より原材料の樹脂シートの広さが広い場合には、前記面形状に切断乃至打ち抜き工程を設ける。
前記面形状に切断乃至打ち抜かれたシートのうち、裏面板となる部分において、裏面板本体と支持部の境となるスジ押し部と切り込み部を形成する工程を設ける。この工程は、前記切断乃至打ち抜き工程と同時に行うこともできる。前記切り込み部は、支持部の３辺において連続することが好ましいが、手指等で容易に切断可能な易切断部を介して連続するように構成しても良い。前記スジ押し部は、樹脂シートの片面又は両面に（好ましくは片面に）形成された溝状部乃至凹条部で、連続した直線状であることが好ましいが、間欠的なものであっても良い。
前記スジ押し部と切り込み部が形成された前記面形状のシートは、表面板となる部分と裏面板となる部分の境界部（折り曲げ線部）に沿って２つ折りに（折り畳み状に）曲げ加工される。
【００１６】
＜製造されたカード類立てとその利用＞
製造されたカード類立ては、表面板と裏面板とが２つ折りに折り畳まれた状態であるため、保管や輸送の際の取り扱いが容易であるし、また、保管や輸送に必要なスペースも小さいため、保管や輸送のコストを低く押さえることができる。
上述のように折り畳まれた状態のカード類立ての使用を開始するには、前記支持部を裏面板本体（乃至カード類保持部）に対し通常は９０度以下の所望の角度に折り曲げるだけでよく、極めて迅速かつ簡単に利用可能となる。
展示状況の変更等により、カード類の傾斜角度を変更する場合には、裏面部本体に対する支持部の角度を９０度以下の範囲内で大きく又は小さくしても、その角度で保持することが可能である。
裏面板本体に対し支持部を９０度超に折り曲げることは、スジ押し部の強度や支持部の支持力を低下させるので必ずしも望ましくはないが、９０度超に折り曲げると、保持されたカード類の傾斜角度を４５度未満とすることも可能となる。
【実施例】
【００１７】
以下、本考案のカード類立てを実施例に基づいてさらに詳細に説明するが、本考案は、この実施例に限定されず、本考案の要旨を逸脱しない範囲で適宜設計変更することができる。
【００１８】
＜実施例のカード類立て＞
図１、２に本考案の実施例のカード類立てを示す。図１は、製造直後から使用開始直前までのカード類立てを、図２は、使用中のカード類立てを示す。
この実施例のカード類立ては、透明な非晶質ポリエチレンテレフタレート（Ａ−ＰＥＴ）製シートから製造されたもので、折り曲げ線部３を介して結合する正方形状の表面板１とほぼ同形状の裏面板２を備えている。裏面板２は、裏面板本体部２１と支持部２２とそれらの境界のスジ押し部４から構成される。支持部２２は、スジ押し部４と、切り込み部５，６と、折り曲げ線部側切り込み部７とを裏面板２に形成することにより、裏面板本体２１から区画されるものとして形成される。スジ押し部４は折り曲げ線部３とほぼ平行に、折り曲げ線部側切り込み部７は折り曲げ線部３と同位置乃至そのほぼ延長上に、切り込み５，６は切り込み線部３とほぼ直角に、それぞれ形成されている。スジ押し部４と折り曲げ線部５とは平行であることが望ましいが、多少の角度（例えば１０度程度以下、好ましくは５度程度以下）平行からずれていても許容される。
図１の製造直後から使用開始直前までのカード類立てを使用開始する際には、図２に示されるように、スジ押し部４を折り曲げ線として支持部２２を所定角度θ折り曲げ、折り曲げ線部３と支持部３の下縁を適当な載置面に接触させると、表面板１と裏面板本体２１の間に保持されたカード類を載置面に対し所定の傾斜角度に支持することができる。
保持されたカード類の傾斜角度を４５度以上９０度未満の範囲内で変更する場合は、裏面板本体２１と支持部２２との角度θを０度超から９０度以下の範囲内で変更するだけで良く、そのような変更を何度も簡単に実施することができる。
裏面板本体２１と支持部２２との角度θを９０度超に折り曲げることは、スジ押し部４の強度や支持部２２の支持力を低下させるので望ましくないが、９０度超に変更すると、保持されたカード類の傾斜角度を４５度未満とすることも可能である。
【００１９】
＜別実施例のカード類立て＞
図３に、本考案の別実施例のカード類立てであって、製造直後から使用開始直前までのカード類立てを裏面板側から見た状態で示す。
この別実施例のカード類立ては、表面板１と裏面板２が横長の略長方形状に形成されている。表面板１と裏面板２の形状は、正方形状や横長の略長方形状等に限定されず、カード類の形状などに応じて様々な形状にすることができる。そのような形状としては、例えば、縦長の略長方形状、台形状、逆台形状、５角形状、カマボコ断面形状などが挙げられる。
支持部２２は、略長方形状が最もシンプルで好ましいが、台形状や逆台形状であっても良いし、両側縁が波形などの特殊な形状であっても良い。また、支持部２２の下縁の中央部に台形状等の切除部９を設けることにより、カード類立ての載置面が凹凸を有する場合などにおいて支持部２２下縁による支持を比較的に安定化することができる。
裏面板２上縁や側縁には、表面板１と裏面板２との間に保持されるカード類の装脱が容易となるように、手指先端程度の大きさ（例えば、横方向最長部５〜１５mm程度、縦方向最長部５〜１５mm程度）の切除部８を形成することができる。切除部８の形状は限定されず、半円状、半長円状、逆三角状、逆台形状などの様々な形状とすることができる。また、切除部８は、１箇所だけでなく複数箇所に設けることもできる。
表面板１には、見栄え状の観点からは、前記切除部８を設けない方が好ましいが、カード類の装脱がより容易となるように、裏面板２の切除部８に対応する位置に同形状の切除部を形成することもできる。
表面板１と裏面板２の上縁両端は、角部が手指等を傷つけないように、面取り部１０とすることが好ましい。また、支持部２２の下縁両端も、同様に、面取り部１１とすることが好ましい。
上記のような切除部８，９や面取り部１０，１１の形成は、上述の切断乃至打ち抜き工程や、スジ押し部４と切り込み部５，６，７を形成する工程とは別に行っても良いが、それらのいずれかの工程と同時に行うことが製造工程上好ましい。
上記実施例や別実施例では、折り曲げ線部側切り込み部７は、折り曲げ線部３（乃至折り曲げ線部３となる部分）に沿って形成されているが、折り曲げ線部３（乃至折り曲げ線部３となる部分）から所定距離離して該折り曲げ線部３と平行に形成することもできる。折り曲げ線部側切り込み部７を折り曲げ線部３から所定距離離して形成した場合には、裏面板本体に対する支持部の曲げ角度を９０度超に曲げることなく、カード類保持部の傾斜角度を０度超〜４５度未満にすることも可能となる。また、カード類は、裏面中央部を除く裏面板の全周部で押さえられるので、腰が無く撓みやすい薄いカード類の場合でも平坦な状態で支持することがより容易となる。
【産業上の利用可能性】
【００２０】
本考案のカード類立ては、自立性を有するカード類については、表面板や裏面板と同程度以下の大きさのものだけでなく、より広い面積のものであっても保持できるし、また、コピー用紙のように自立性が弱く撓みやすいカード類については、表面板や裏面板と同程度の大きさか小さいものであれば平坦性を維持したまま保持できるので、プライスカード、ポストカード、写真を初めとした各種のカード類の保持に幅広く利用することができる。
しかも、本考案のカード類立ては、カード類の傾斜角度を０度から９０度未満の範囲内の任意の角度に何回も調整可能であるので、様々な使用態様において利用することが可能である。
【符号の説明】
【００２１】
１：表面板
２：裏面板
２１：裏面板本体
２２：支持部
３：折り曲げ線部
４：スジ押し部
５：切り込み部
６：切り込み部
７：折り曲げ線部側切り込み部
８：裏面板上縁の切除部
９：支持部下縁中央部の切除部
１０：表面板上縁両端、及び、裏面板本体上縁両端の面取り部
１１：支持部下縁両端の面取り部
θ：裏面板本体（乃至カード類保持部）に対する支持部の折り曲げ角度
【図１】
0003200250.tif 000003
【図２】
0003200250.tif 000004
【図３】
0003200250.tif 000005
【図４】
0003200250.tif 000006